(57)【要約】【課題】複数種類の決済手段の中から、ユーザにとって都合の良い決済手段を高い確率で選択できるようにする。【解決手段】ユーザ情報ＤＢ２４には、ユーザ毎に、何時、どのような種類の決済手段が利用されたのかを示す利用履歴が登録されている。ユーザに対する決済処理時、決済手段選択手段が、ユーザ情報ＤＢ２４の内容に基づいて、上記ユーザに利用させる決済手段（クレジットカード、電子マネーなど）の候補として、利用可能な複数種類の決済手段の中から、予め定められている複数の時間帯の内の、現在時刻が含まれる時間帯において上記ユーザが最も多く利用した決済手段を選択し、選択した決済手段用の決済画面をユーザ端末装置３へ送信する。決済処理手段２３は、決済処理を行い、決済処理完了後、ユーザ情報ＤＢ２４に登録されている上記ユーザの利用履歴を更新する。【選択図】図１
2008112326.tif 000002
【特許請求の範囲】
【請求項１】
ユーザ毎に、何時、どのような種類の決済手段が利用されたのかを示す利用履歴が登録されたユーザ利用履歴記憶部と、
ユーザに対する決済処理時、現在時刻と前記ユーザ利用履歴記憶部の内容とに基づいて、利用可能な複数種類の決済手段の中から前記ユーザに利用させる決済手段の候補を選択する決済手段選択手段と、
前記ユーザに対する決済処理完了後、前記ユーザ利用履歴記憶部に登録されている前記ユーザの利用履歴を更新する決済処理手段とを備えたことを特徴とする決済処理システム。
【請求項２】
請求項１記載の決済処理システムにおいて、
前記決済手段選択手段が、前記ユーザが利用する可能性が最も高い決済手段を選択することを特徴とする決済処理システム。
【請求項３】
請求項２記載の決済処理システムにおいて、
前記決済手段選択手段が、予め定められている複数の時間帯の内の現在時刻が含まれる時間帯において前記ユーザが最も多く利用した決済手段を選択することを特徴とする決済処理システム。
【請求項４】
請求項３記載の決済処理システムにおいて、
前記ユーザ利用履歴記憶部に登録される利用履歴は、ユーザが利用した決済手段の種類を特定するための情報と、決済手段が前記複数の時間帯の内の何れの時間帯で利用されたかを特定するための情報とが含まれていることを特徴とする決済処理システム。
【請求項５】
請求項３記載の決済処理システムにおいて、
前記ユーザ利用履歴記憶部には、前記決済手段の利用履歴として、ユーザが決済処理を行った日時と、前記ユーザが前記決済処理を行う際に利用した決済手段の種類とが登録されていることを特徴とする決済処理システム。
【請求項６】
請求項３記載の決済処理システムにおいて、
前記ユーザ利用履歴記憶部には、前記決済手段の利用履歴として、前記複数の時間帯においてユーザが利用した各決済手段それぞれの利用回数が登録されていることを特徴とする決済処理システム。
【請求項７】
請求項１記載の決済処理システムにおいて、
商品毎に、その商品の決済処理に利用された各決済手段それぞれの利用回数が登録された商品管理情報記憶部を備え、且つ、
前記決済手段選択手段が、前記ユーザ利用履歴記憶部の内容に基づいて、決済手段を選択できなかった場合は、前記商品管理情報記憶部の内容に基づいて、ユーザが購入を希望している商品に関して最も利用回数が多い決済手段を選択し、
前記決済処理手段が、前記ユーザに対する決済処理完了後、前記ユーザ利用履歴記憶部及び前記商品管理情報記憶部を更新することを特徴とする決済処理システム。
【請求項８】
サービス提供サーバと、認証課金サーバとを備え、
前記サービス提供サーバが、
ユーザの購入希望商品及び前記ユーザを示す情報を含んだ決済処理要求を前記認証課金サーバに対して送信する決済処理要求手段を備え、
前記認証課金サーバが、
ユーザ毎に、何時、どのような種類の決済手段が利用されたのかを示す利用履歴が登録されたユーザ利用履歴記憶部と、
前記サービス提供サーバから前記決済処理要求が送られてきたとき、現在時刻と前記ユーザ利用履歴記憶部の内容とに基づいて、利用可能な複数種類の決済手段の中から前記ユーザに利用させる決済手段の候補を選択する決済手段選択手段と、
前記ユーザに対する決済処理完了後、前記ユーザ利用履歴記憶部に登録されている前記ユーザの利用履歴を更新する決済処理手段とを備えたことを特徴とする決済処理システム。
【請求項９】
請求項８記載の決済処理システムにおいて、
前記認証課金サーバが、
商品毎に、その商品の決済処理に利用された各決済手段それぞれの利用回数が登録された商品管理情報記憶部を備え、且つ、
前記決済手段選択手段が、前記ユーザ利用履歴記憶部の内容に基づいて、決済手段を選択できなかった場合は、前記商品管理情報記憶部の内容に基づいて、ユーザが購入を希望している商品に関して最も利用回数が多い決済手段を選択し、
前記決済処理手段が、前記ユーザに対する決済処理完了後、前記ユーザ利用履歴記憶部及び前記商品管理情報記憶部を更新することを特徴とする決済処理システム。
【請求項１０】
ユーザ端末装置に対して、購入商品を選択させるための商品購入画面を送信し、該商品購入画面を用いてユーザが選択した購入希望商品を認識するサービス提供手段と、
前記サービス提供手段が認識した購入希望商品及び前記ユーザを示す情報を含んだ決済処理要求を、ユーザ毎に、何時、どのような種類の決済手段が利用されたのかを示す利用履歴が登録されたユーザ利用履歴記憶部と、ユーザに対する決済処理時、現在時刻と前記ユーザ利用履歴記憶部の内容とに基づいて、利用可能な複数種類の決済手段の中から前記ユーザに利用させる決済手段の候補を選択する決済手段選択手段及び前記ユーザに対する決済処理完了後、前記ユーザ利用履歴記憶部に登録されている前記ユーザの利用履歴を更新する決済処理手段を有する認証課金サーバに対して送信する決済処理要求手段とを備えことを特徴とするサービス提供サーバ。
【請求項１１】
ユーザ毎に、何時、どのような種類の決済手段が利用されたのかを示す利用履歴が登録されたユーザ利用履歴記憶部と、
外部装置からユーザの購入希望商品及び前記ユーザを示す情報を含んだ決済処理要求が送られてきたとき、現在時刻と前記ユーザ利用履歴記憶部の内容とに基づいて、利用可能な複数種類の決済手段の中から前記ユーザに利用させる決済手段の候補を選択する決済手段選択手段と、
前記ユーザに対する決済処理完了後、前記ユーザ利用履歴記憶部に登録されている前記ユーザの利用履歴を更新する決済処理手段とを備えたことを特徴とする認証課金サーバ。
【請求項１２】
請求項１１記載の認証課金サーバにおいて、
商品毎に、その商品の決済処理に利用された各決済手段それぞれの利用回数が登録された商品管理情報記憶部を備え、且つ、
前記決済手段選択手段が、前記ユーザ利用履歴記憶部の内容に基づいて、決済手段を選択できなかった場合は、前記商品管理情報記憶部の内容に基づいて、ユーザが購入を希望している商品に関して最も利用回数が多い決済手段を選択し、
前記決済処理手段が、前記ユーザに対する決済処理完了後、前記ユーザ利用履歴記憶部及び前記商品管理情報記憶部を更新することを特徴とする認証課金サーバ。
【請求項１３】
決済手段選択手段が、ユーザに対する決済処理時、ユーザ毎に、何時、どのような種類の決済手段が利用されたのかを示す利用履歴が登録されたユーザ利用履歴記憶部の内容と現在時刻とに基づいて、利用可能な複数種類の決済手段の中から前記ユーザに利用させる決済手段の候補を選択し、
決済処理手段が、前記ユーザに対する決済処理完了後、前記ユーザ利用履歴記憶部に登録されている前記ユーザの利用履歴を更新することを特徴とする決済処理方法。
【請求項１４】
請求項１３記載の決済処理方法において、
前記決済手段選択手段が、前記ユーザ利用履歴記憶部の内容に基づいて、決済手段を選択できなかった場合は、商品毎に、その商品の決済に使用された各決済手段それぞれの利用回数が登録された商品管理情報記憶部の内容に基づいて、前記ユーザが購入を希望している商品に関して最も利用回数が多い決済手段を選択し、
前記決済処理手段が、前記ユーザに対する決済処理完了後、前記ユーザ利用履歴記憶部及び前記商品管理情報記憶部に登録されている前記ユーザの決済手段の利用履歴を更新することを特徴とする決済処理方法。
【請求項１５】
ユーザ毎に、何時、どのような種類の決済手段が利用されたのかを示す利用履歴が登録されたユーザ利用履歴記憶部を備えたコンピュータを、
ユーザに対する決済処理時、現在時刻と前記ユーザ利用履歴記憶部の内容とに基づいて、利用可能な複数種類の決済手段の中から前記ユーザに利用させる決済手段の候補を選択する決済手段選択手段、
前記ユーザに対する決済処理完了後、前記ユーザ利用履歴記憶部に登録されている前記ユーザの利用履歴を更新する決済処理手段として機能させるためのプログラム。
【請求項１６】
請求項１５記載のプログラムにおいて、
前記コンピュータが、商品毎に、その商品の決済処理に利用された各決済手段それぞれの利用回数が登録された商品管理情報記憶部を備え、且つ、
前記決済手段選択手段が、前記ユーザ利用履歴記憶部の内容に基づいて、決済手段を選択できなかった場合は、前記商品管理情報記憶部の内容に基づいて、ユーザが購入を希望している商品に関して最も利用回数が多い決済手段を選択し、
前記決済処理手段が、前記ユーザに対する決済処理完了後、前記ユーザ利用履歴記憶部及び前記商品管理情報記憶部を更新することを特徴とするプログラム。
【発明の詳細な説明】
【技術分野】
【０００１】
本発明は、代金の決済処理を行う決済処理技術に関し、特に、複数の決済手段の中からユーザが利用する可能性が最も高い決済手段を自動的に選択することができる決済処理技術に関する。
【背景技術】
【０００２】
従来から、複数種類の決済手段（クレジットカード、電子マネー、デビットカードなど）を利用して、決済処理を行うことができる決済システムが知られている（例えば、特許文献１、２、３参照）。
【０００３】
特許文献１に記載されている決済システムでは、複数種類の決済手段の中から、ユーザに利用する決済手段を選択させ、ユーザによって選択された決済手段を利用して決済処理を行うようにしている。
【０００４】
また、特許文献２に記載されている決済システムでは、ユーザ毎に、各決済手段毎の利用回数を管理しておき、決済時、ユーザが最も多く利用している決済手段を選択するようにしている。
【０００５】
また、特許文献３に記載されている決済システムでは、複数種類の決済手段の中から、決済金額に応じて決済手段を選択し、選択した決済手段を利用した決済処理を行うようにしている。
【０００６】
【特許文献１】特開２００３−１５０８７４号公報
【特許文献２】特許第３６６２００４号公報
【特許文献３】特開２００４−２５９１５２号公報
【発明の開示】
【発明が解決しようとする課題】
【０００７】
特許文献１に記載されている従来の技術は、決済処理を行う度、ユーザが決済手段を選択しなければならないため、ユーザにとって使い勝手が悪いという問題があった。
【０００８】
これに対して、特許文献２、３に記載されている従来の技術は、自動的に決済手段が選択されるため、特許文献１に記載されている従来の技術に比較して使い勝手を向上させることができる。
【０００９】
しかしながら、特許文献２に記載されている従来の技術は、利用回数に基づいて、決済手段を選択するようにしているため、ユーザが利用したいと考えている決済手段（ユーザにとって都合の良い決済手段）を選択することができない確率が高くなってしまうおそれがある。例えば、自宅にいるときは、決済手段Ａを頻繁に使用し、会社にいるときは、決済手段Ｂを頻繁に使用するというようなユーザに対しては、ユーザにとって都合の良い決済手段を選択することができない確率が高くなってしまう。即ち、特許文献２においては、ユーザが何時、決済手段を利用したのかを考慮せずに、決済手段を選択するようしているため、ユーザにとって都合の良い決済手段を選択することができない確率が高くなってしまう。
【００１０】
また、特許文献３に記載されている従来の技術も、ユーザが何時、決済手段を利用したのかを考慮せずに、決済手段を選択するようにしているため、ユーザにとって都合の良い決済手段を選択することができない確率が高くなってしまう。
【００１１】
〔発明の目的〕
そこで、本発明の目的は、ユーザが何時、決済手段を利用したのかも考慮して選択手段を選択することにより、ユーザにとって都合の良い選択手段を高い確率で選択できるようにすることにある。
【課題を解決するための手段】
【００１２】
本発明にかかる第１の決済処理システムは、
ユーザ毎に、何時、どのような種類の決済手段が利用されたのかを示す利用履歴が登録されたユーザ利用履歴記憶部と、
ユーザに対する決済処理時、現在時刻と前記ユーザ利用履歴記憶部の内容とに基づいて、利用可能な複数種類の決済手段の中から前記ユーザに利用させる決済手段の候補を選択する決済手段選択手段と、
前記ユーザに対する決済処理完了後、前記ユーザ利用履歴記憶部に登録されている前記ユーザの利用履歴を更新する決済処理手段とを備えたことを特徴とする。
【００１３】
本発明にかかる第２の決済処理システムは、第１の決済処理システムにおいて、
前記決済手段選択手段が、前記ユーザが利用する可能性が最も高い決済手段を選択することを特徴とする。
【００１４】
本発明にかかる第３の決済処理システムは、第２の決済処理システムにおいて、
前記決済手段選択手段が、予め定められている複数の時間帯の内の現在時刻が含まれる時間帯において前記ユーザが最も多く利用した決済手段を選択することを特徴とする。
【００１５】
本発明にかかる第４の決済処理システムは、第３の決済処理システムにおいて、
前記ユーザ利用履歴記憶部に登録される利用履歴は、ユーザが利用した決済手段の種類を特定するための情報と、決済手段が前記複数の時間帯の内の何れの時間帯で利用されたかを特定するための情報とが含まれていることを特徴とする。
【００１６】
本発明にかかる第５の決済処理システムは、第３の決済処理システムにおいて、
前記ユーザ利用履歴記憶部には、前記決済手段の利用履歴として、ユーザが決済処理を行った日時と、前記ユーザが前記決済処理を行う際に利用した決済手段の種類とが登録されていることを特徴とする。
【００１７】
本発明にかかる第６の決済処理システムは、第３の決済処理システムにおいて、
前記ユーザ利用履歴記憶部には、前記決済手段の利用履歴として、前記複数の時間帯においてユーザが利用した各決済手段それぞれの利用回数が登録されていることを特徴とする。
【００１８】
本発明にかかる第７の決済処理システムは、第１の決済処理システムにおいて、
商品毎に、その商品の決済処理に利用された各決済手段それぞれの利用回数が登録された商品管理情報記憶部を備え、且つ、
前記決済手段選択手段が、前記ユーザ利用履歴記憶部の内容に基づいて、決済手段を選択できなかった場合は、前記商品管理情報記憶部の内容に基づいて、ユーザが購入を希望している商品に関して最も利用回数が多い決済手段を選択し、
前記決済処理手段が、前記ユーザに対する決済処理完了後、前記ユーザ利用履歴記憶部及び前記商品管理情報記憶部を更新することを特徴とする。
【００１９】
本発明にかかる第８の決済処理システムは、
サービス提供サーバと、認証課金サーバとを備え、
前記サービス提供サーバが、
ユーザの購入希望商品及び前記ユーザを示す情報を含んだ決済処理要求を前記認証課金サーバに対して送信する決済処理要求手段を備え、
前記認証課金サーバが、
ユーザ毎に、何時、どのような種類の決済手段が利用されたのかを示す利用履歴が登録されたユーザ利用履歴記憶部と、
前記サービス提供サーバから前記決済処理要求が送られてきたとき、現在時刻と前記ユーザ利用履歴記憶部の内容とに基づいて、利用可能な複数種類の決済手段の中から前記ユーザに利用させる決済手段の候補を選択する決済手段選択手段と、
前記ユーザに対する決済処理完了後、前記ユーザ利用履歴記憶部に登録されている前記ユーザの利用履歴を更新する決済処理手段とを備えたことを特徴とする。
【００２０】
本発明にかかる第９の決済処理システムは、第８の決済処理システムにおいて、
前記認証課金サーバが、
商品毎に、その商品の決済処理に利用された各決済手段それぞれの利用回数が登録された商品管理情報記憶部を備え、且つ、
前記決済手段選択手段が、前記ユーザ利用履歴記憶部の内容に基づいて、決済手段を選択できなかった場合は、前記商品管理情報記憶部の内容に基づいて、ユーザが購入を希望している商品に関して最も利用回数が多い決済手段を選択し、
前記決済処理手段が、前記ユーザに対する決済処理完了後、前記ユーザ利用履歴記憶部及び前記商品管理情報記憶部を更新することを特徴とする。
【００２１】
本発明にかかるサービス提供サーバは、
ユーザ端末装置に対して、購入商品を選択させるための商品購入画面を送信し、該商品購入画面を用いてユーザが選択した購入希望商品を認識するサービス提供手段と、
前記サービス提供手段が認識した購入希望商品及び前記ユーザを示す情報を含んだ決済処理要求を、ユーザ毎に、何時、どのような種類の決済手段が利用されたのかを示す利用履歴が登録されたユーザ利用履歴記憶部と、ユーザに対する決済処理時、現在時刻と前記ユーザ利用履歴記憶部の内容とに基づいて、利用可能な複数種類の決済手段の中から前記ユーザに利用させる決済手段の候補を選択する決済手段選択手段及び前記ユーザに対する決済処理完了後、前記ユーザ利用履歴記憶部に登録されている前記ユーザの利用履歴を更新する決済処理手段を有する認証課金サーバに対して送信する決済処理要求手段とを備えことを特徴とするサービス提供サーバ。
【００２２】
本発明にかかる第１の認証課金サーバは、
ユーザ毎に、何時、どのような種類の決済手段が利用されたのかを示す利用履歴が登録されたユーザ利用履歴記憶部と、
外部装置からユーザの購入希望商品及び前記ユーザを示す情報を含んだ決済処理要求が送られてきたとき、現在時刻と前記ユーザ利用履歴記憶部の内容とに基づいて、利用可能な複数種類の決済手段の中から前記ユーザに利用させる決済手段の候補を選択する決済手段選択手段と、
前記ユーザに対する決済処理完了後、前記ユーザ利用履歴記憶部に登録されている前記ユーザの利用履歴を更新する決済処理手段とを備えたことを特徴とする。
【００２３】
本発明にかかる第２の認証課金サーバは、第１の認証課金サーバにおいて、
商品毎に、その商品の決済処理に利用された各決済手段それぞれの利用回数が登録された商品管理情報記憶部を備え、且つ、
前記決済手段選択手段が、前記ユーザ利用履歴記憶部の内容に基づいて、決済手段を選択できなかった場合は、前記商品管理情報記憶部の内容に基づいて、ユーザが購入を希望している商品に関して最も利用回数が多い決済手段を選択し、
前記決済処理手段が、前記ユーザに対する決済処理完了後、前記ユーザ利用履歴記憶部及び前記商品管理情報記憶部を更新することを特徴とする。
【００２４】
本発明にかかる第１の決済処理方法は、
決済手段選択手段が、ユーザに対する決済処理時、ユーザ毎に、何時、どのような種類の決済手段が利用されたのかを示す利用履歴が登録されたユーザ利用履歴記憶部の内容と現在時刻とに基づいて、利用可能な複数種類の決済手段の中から前記ユーザに利用させる決済手段の候補を選択し、
決済処理手段が、前記ユーザに対する決済処理完了後、前記ユーザ利用履歴記憶部に登録されている前記ユーザの利用履歴を更新することを特徴とする。
【００２５】
本発明にかかる第２の決済処理方法は、第１の決済処理方法において、
前記決済手段選択手段が、前記ユーザ利用履歴記憶部の内容に基づいて、決済手段を選択できなかった場合は、商品毎に、その商品の決済に使用された各決済手段それぞれの利用回数が登録された商品管理情報記憶部の内容に基づいて、前記ユーザが購入を希望している商品に関して最も利用回数が多い決済手段を選択し、
前記決済処理手段が、前記ユーザに対する決済処理完了後、前記ユーザ利用履歴記憶部及び前記商品管理情報記憶部に登録されている前記ユーザの決済手段の利用履歴を更新することを特徴とする。
【００２６】
本発明にかかる第１のプログラムは、
ユーザ毎に、何時、どのような種類の決済手段が利用されたのかを示す利用履歴が登録されたユーザ利用履歴記憶部を備えたコンピュータを、
ユーザに対する決済処理時、現在時刻と前記ユーザ利用履歴記憶部の内容とに基づいて、利用可能な複数種類の決済手段の中から前記ユーザに利用させる決済手段の候補を選択する決済手段選択手段、
前記ユーザに対する決済処理完了後、前記ユーザ利用履歴記憶部に登録されている前記ユーザの利用履歴を更新する決済処理手段として機能させる。
【００２７】
本発明にかかる第２のプログラムは、第１のプログラムにおいて、
前記コンピュータが、商品毎に、その商品の決済処理に利用された各決済手段それぞれの利用回数が登録された商品管理情報記憶部を備え、且つ、
前記決済手段選択手段が、前記ユーザ利用履歴記憶部の内容に基づいて、決済手段を選択できなかった場合は、前記商品管理情報記憶部の内容に基づいて、ユーザが購入を希望している商品に関して最も利用回数が多い決済手段を選択し、
前記決済処理手段が、前記ユーザに対する決済処理完了後、前記ユーザ利用履歴記憶部及び前記商品管理情報記憶部を更新することを特徴とする。
【００２８】
〔作用〕
ユーザ利用履歴記憶部には、ユーザ毎に、何時、どのような種類の決済手段が利用されたのかを示す利用履歴が登録されている。決済手段選択手段は、ユーザに対する決済処理時、ユーザ利用履歴記憶部の内容と現在時刻とに基づいて、ユーザに利用させる決済手段の候補を選択し、決済処理手段は、上記ユーザに対する決済処理完了後、ユーザ利用履歴記憶部に登録されている上記ユーザの利用履歴を更新する。
【発明の効果】
【００２９】
本発明によれば、ユーザにとって都合の良い決済手段を高い確率で選択することが可能になる。その理由は、ユーザ毎に、何時、どのような種類の決済手段が利用されたのかを示す利用履歴が登録されたユーザ利用履歴記憶部を備え、このユーザ利用履歴部の内容と決済処理を行ったときの時刻とに基づいてユーザに利用させる決済手段の候補を選択するようにしているからである。
【発明を実施するための最良の形態】
【００３０】
次に、本発明を実施するための最良の形態について図面を参照して詳細に説明する。
【００３１】
〔実施の形態の構成〕
図１を参照すると、本発明にかかる決済処理システムの実施の形態は、サービス提供サーバ１と、認証課金サーバ２と、複数のユーザ端末装置３とから構成され、それらはインターネット等のネットワーク４を介して相互に接続されている。
【００３２】
サービス提供サーバ１は、コンピュータによって実現可能であり、サービス提供手段１１と、認証処理要求手段１２と、決済処理要求手段１３とを備えている。
【００３３】
サービス提供手段１１は、認証・課金の対象となる電子商取引あるいは電気通信役務を提供する。より具体的には、アクセスのあったユーザ端末装置３に対して、購入商品を選択させるための商品購入画面を送信し、ユーザが商品購入画面を用いて選択した購入希望商品を認識する。
【００３４】
認証処理要求手段１２は、サービス提供手段１１がユーザの購入希望商品を認識すると、上記ユーザのユーザ端末装置３に対してログイン画面を送信する。そして、このログイン画面を用いてユーザがユーザＩＤ及びパスワードを入力すると、上記ユーザＩＤ及びパスワードを含む認証要求を認証課金サーバ２に対して送信し、認証課金サーバ２からの認証結果を受信する。
【００３５】
決済処理要求手段１３は、認証処理要求手段１２が受信した認証結果が、アクセス許可を示すものである場合、ユーザの購入希望商品及びユーザＩＤを含む決済処理要求を認証課金サーバ２へ送信し、認証課金サーバ２から決済完了が通知されると、ユーザ端末装置３に対して決済完了画面を送信する。
【００３６】
サービス提供サーバ１は、前述したように、コンピュータによって実現することが可能であり、コンピュータによって実現する場合は、例えば、次のようにする。コンピュータをサービス提供サーバ１として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、サービス提供手段１１、認証処理要求手段１２、決済処理要求手段１３を実現する。
【００３７】
課金認証サーバ２は、コンピュータによって実現可能であり、認証手段２１と、決済手段選択手段２２と、決済処理手段２３と、ユーザ情報データベース（ＤＢ）２４と、商品管理ＤＢ２５とを備えている。
【００３８】
ユーザ情報ＤＢ２４には、図２に示すように、ユーザ基本情報記憶部２４１と、ユーザ利用履歴記憶部２４２とが設けられている。
【００３９】
ユーザ基本情報記憶部２４１には、各ユーザのユーザＩＤとパスワードと属性情報（生年月日、性別、名前など）とが登録されている。
【００４０】
ユーザ利用履歴記憶部２４２は、ユーザ毎に、そのユーザの決済手段の利用履歴が登録されている。図２の例では、ユーザＩＤと、ユーザが決済手段を利用した日時と、購入した商品の商品ＩＤと、決済に利用した決済手段の種類とが登録されている。
【００４１】
図３は、商品管理ＤＢ２５の内容例を示す図であり、サービス提供サーバ１で販売対象にしている各商品（音楽、動画などのコンテンツも含む）の商品ＩＤ、商品名、単価、売主が希望する決済手段の種類、各決済手段での決済回数が登録されている。図３の例の第１行目は、商品ＩＤ「００１」の商品は、商品名が「○○○○」、単価が「１５０円」で、○○カード、△△カード、××電子マネーでの決済回数がそれぞれ「２００回」「１０回」「１０回」であり、売主は、○○カードでの決済を希望していることを示している。
【００４２】
認証手段２１は、サービス提供サーバ１からの認証要求に対して、ユーザ情報ＤＢ２４のユーザ基本情報記憶部２４１を照合し、認証要求中のユーザＩＤ及びパスワードが有効であればアクセス許可を、無効であればエラーを返す。
【００４３】
決済手段選択手段２２は、サービス提供サーバ１からの決済処理要求に対して、ユーザ情報ＤＢ２４に登録されているユーザの属性情報、決済手段の利用履歴や、アクセス時刻から最適な決済手段を選択し、ユーザ端末３に選択した決済手段用の決済画面を表示する。
【００４４】
決済処理手段は、決済画面に対するユーザの入力情報を受け取り、決済処理を行い、正常に完了すると、ユーザ情報ＤＢ２４と商品管理ＤＢ２５にログを記録し、サービス提供サーバ１に決済完了を通知する。
【００４５】
前述したように、認証課金サーバ２は、コンピュータによって実現可能であり、コンピュータによって実現する場合は、例えば、次のようにする。コンピュータを認証課金サーバ２として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、認証手段２１、決済手段選択手段２２、決済処理手段２３を実現する。
【００４６】
ユーザ端末装置３は、パーソナルコンピュータや携帯電話装置等によって実現されるものであり、ネットワーク４を介した通信を行うための通信手段や、サービス提供サーバ１から送られてきた商品購入画面などを表示するためのブラウザや、ＩＣカードに対して読み書きを行うリーダ／ライタなどを備えている。
【００４７】
〔実施の形態の動作の説明〕
次に、本発明の実施の形態の動作について詳細に説明する。
【００４８】
ユーザは、サービス提供サーバ１を利用して商品を購入する場合、ユーザ端末装置３からサービス提供サーバ１にアクセスする（図４のステップＳ４０）。これにより、サービス提供サーバ１内のサービス提供手段１１は、アクセス元のユーザ端末装置３に対して、図６（Ａ）に示すような、商品購入画面を送信する（ステップＳ４１）。
【００４９】
ユーザ端末装置３では、サービス提供サーバ１から送られてきた商品購入画面を表示部に表示し、ユーザによって購入希望商品が選択されると、購入希望商品の商品ＩＤを含む商品購入要求をサービス提供サーバ１へ送信する（ステップＳ４２，Ｓ４３）。
【００５０】
サービス提供手段１１は、ユーザの購入希望商品を認識すると、認証処理要求手段１２を起動する。これにより、認証処理要求手段１２は、ユーザ端末装置３に対して、ユーザＩＤ及びパスワードの入力を求める、図６（Ｂ）に示すようなログイン画面を送信する（ステップＳ４４）。
【００５１】
ユーザ端末装置３では、サービス提供サーバ１から送られてきたログイン画面を表示部に表示し、ユーザが入力したユーザＩＤ及びパスワードを含む認証情報をサービス提供サーバ１へ送信する（ステップＳ４５、Ｓ４６）。
【００５２】
認証処理要求手段１２は、ユーザ端末装置３から認証情報が送られてくると、認証課金サーバ２に対して、認証要求を送信する（ステップＳ４７）。この認証要求には、ユーザ端末装置３から送られてきたユーザＩＤ及びパスワードが含まれている。
【００５３】
認証課金サーバ２内の認証手段１１は、サービス提供サーバ１からの認証要求に対して、ユーザ情報ＤＢ２４と照合し、ユーザＩＤとパスワードが有効であればアクセス許可を、無効であればエラーを認証処理要求手段１２に返す（ステップＳ４８）。
【００５４】
認証が正常に完了しなかった場合（ステップＳ４９がＮＯ）は、認証処理要求手段１２は、例えば、再度ログイン画面を送信するなどのエラー処理を行う（ステップＳ５０）。これに対して、認証が正常に完了した場合（ステップＳ４９がＹＥＳ）は、決済処理要求手段１３が、認証課金サーバ２に対してユーザＩＤ及び購入希望商品の商品ＩＤを含む決済処理要求を送信する（図５のステップＳ５１）。
【００５５】
これにより、認証課金サーバ２の決済手段選択手段２１は、ユーザ情報ＤＢ２４、商品管理ＤＢ２５及び現在時刻に基づいて、ユーザにとって最適と考えられる決済手段を選択するための決済手段選択処理を行う（ステップＳ５２）。
【００５６】
ここで、図７のフローチャートを参照して、ステップＳ５２で行う決済手段選択処理について詳しく説明する。
【００５７】
先ず、予め定められている複数の時間帯の中から、現在時刻を含む時間帯を選択する（ステップＳ７１）。本実施の形態では、１日を６時００分から１８時００分までの第１の時間帯と、それ以外の第２の時間帯とに分けるようにするが、時間帯をどのようにするかは、これに限られるものではない。
【００５８】
その後、ユーザ利用履歴記憶部２４２に登録されている該当ユーザの利用履歴に基づいて、ステップＳ７１で選択した時間帯において、最も利用回数が多かった決済手段を選択する（ステップＳ７２）。今、例えば、ステップＳ７１において、第２の時間帯を選択し、ユーザ利用履歴記憶部２４２の内容が図２に示すものであったとすると、決済手段「○○カード」が選択されることになる。
【００５９】
ステップＳ７２で決済手段を一意に選択できた場合（ステップＳ７３がＹＥＳ）は、選択した決済手段用の決済画面を該当するユーザのユーザ端末装置３へ送信する（ステップＳ７７）。これに対して、一意に選択できなかった場合（ステップＳ７３がＮＯ）、商品管理ＤＢ２５を参照し、ユーザの購入希望商品について、最も利用回数が多い決済手段を選択する（ステップＳ７４）。例えば、商品管理ＤＢ２５の内容が図３に示すものであり、購入希望商品の商品ＩＤが「００１」であれば、決済手段「○○カード」が選択されることになる。なお、ステップＳ７４においては、ユーザの属性情報（例えば、年齢）に基づいて、選択する決済手段を制限するようにしても良い。
【００６０】
ステップＳ７４で決済手段を一意に選択できた場合（ステップＳ７５がＹＥＳ）は、前述したステップＳ７７の処理を行い、選択できなかった場合（ステップＳ７５がＮＯ）は、商品管理ＤＢ２５を参照し、購入希望商品の売主が希望している決済手段を選択し、その後、ステップＳ７７の処理を行う。
【００６１】
以上が図５のステップＳ５２で行われる決済手段選択処理の詳細である。なお、ステップＳ５２において、決済手段として「○○カード」「△△カード」「××電子マネー」が選択された場合は、それぞれ図６（Ｃ）に示す決済画面Ｃ１、Ｃ２、Ｃ３がユーザ端末装置３へ送信されることになる。また、各決済画面Ｃ１〜Ｃ３には、ユーザが他の決済手段の利用を希望するときに操作するボタンが設けられており、このボタンが操作された場合には、決済手段選択手段２２は、操作されたボタンに対応する決済画面をユーザ端末装置３へ送信する。例えば、決済画面Ｃ１が表示されている状態において、画面の一番下に表示されているボタン「××電子マネーで決済」が操作された場合、決済手段選択手段２２は、決済画面Ｃ３をユーザ端末装置３へ送信することになる。
【００６２】
ユーザ端末装置３では、認証課金サーバ２から送られたきた決済画面を表示部に表示する（ステップＳ５３）。ユーザは、決済画面を用いて決済に必要になる決済情報を入力したり、リード／ライタを用いてＩＣカードから決済に必要になる決済情報を入力する。ユーザ端末装置３は、入力された決済情報を認証課金サーバ２へ送信する（ステップＳ５４）。
【００６３】
これにより、認証課金サーバ２内の決済処理手段２３は、ユーザ端末装置３から送られてきた決済情報に従った決済処理を行い（ステップＳ５５）、正常に決済処理が完了するとユーザ情報ＤＢ２４と商品管理ＤＢ２５とにログを記録する（ステップＳ５６）。より具体的には、ユーザ履歴記憶部２４２に、今回の決済に関する新たなレコードを追加し、商品管理ＤＢ２５に登録されている、該当商品についての決済手段の利用回数の内、今回利用した決済手段に関する利用回数をインクリメントする。
【００６４】
その後、決済処理手段２３は、サービス提供サーバ１に対して決済完了を通知する（ステップＳ５７）。これにより、サービス提供サーバ１内の決済処理要求手段１３は、ユーザ端末装置３に対して図６（Ｄ）に示すような決済完了画面を送信し（ステップＳ５８）、ユーザ端末装置３は、送られたきた決済完了画面を表示部に表示する（ステップＳ５９）。
【００６５】
なお、上述した実施の形態では、図２に示すようなユーザ利用履歴記憶部２４２を使用したが、その代わりに、図８に示すように、ユーザ毎（ユーザＩＤ毎）に、各時間帯における各決済手段の利用回数が登録されるユーザ利用履歴記憶部２４２ａを使用するようにしても良い。このようなユーザ利用履歴記憶部２４２ａを使用した場合、決済処理手段２３は、図５のステップＳ５６において、ユーザ利用履歴記憶部２４２ａに登録されている該当ユーザの情報に対して、次のような更新処理を行う。即ち、現在時刻を含む時間帯に対応付けて登録されている各決済手段の使用回数の内、今回使用した決済手段の使用回数をインクリメントする処理を行う。
【００６６】
〔実施の形態の効果〕
本実施の形態によれば、ユーザにとって都合の良い決済手段（○○クレジットカード、××電子マネーなど）を高い確率で選択することが可能になる。その理由は、ユーザ毎に、何時、どのような種類の決済手段が利用されたのかを示す利用履歴が登録されたユーザ利用履歴記憶部２４２を備え、このユーザ利用履歴部２４２の内容と決済処理を行ったときの時刻とに基づいてユーザに利用させる決済手段の候補を選択するようにしているからである。
【００６７】
また、本実施の形態は、ユーザ利用履歴記憶部２４２の内容に基づいて、決済手段を一意に選択できなかった場合であっても、ユーザにとって都合の良い決済手段を高い確率で選択することができる。その理由は、商品毎に、その商品の決済処理に利用された各決済手段それぞれの利用回数が登録された商品管理ＤＢ２５を備え、決済手段選択手段２２が、ユーザ利用履歴記憶部２４２の内容に基づいて、決済手段を選択できなかった場合は、商品管理ＤＢ２５の内容に基づいて、ユーザが購入を希望している商品に関して最も利用回数が多い決済手段を選択するようにしているからである。
【００６８】
更に、本実施の形態は、複数の時間帯においてユーザが利用した各決済手段それぞれの利用回数が登録されたユーザ利用履歴記憶部２４２ａを利用して決済手段を選択するようにしているので、決済手段の選択処理に要する時間を短いものとすることができる。
【産業上の利用可能性】
【００６９】
本発明は、電子商取引における決済処理システムや、店舗における決済処理システムに適用できる。
【図面の簡単な説明】
【００７０】
【図１】本発明にかかる決済処理システムの実施の形態の全体構成例を示すブロック図である。
【図２】ユーザ基本記憶部２４１、ユーザ利用履歴情報記憶部２４２の内容例を示す図である。
【図３】商品管理ＤＢ２５の内容例を示す図である。
【図４】実施の形態の処理例（前半部分）を示すフローチャートである。
【図５】実施の形態の処理例（後半部分）を示すフローチャートである。
【図６】実施の形態で使用する各画面の一例を示す図である。
【図７】決済手段選択処理の処理例を示すフローチャートである。
【図８】ユーザ利用履歴情報記憶部２４２の内容例を示す図である。
【符号の説明】
【００７１】
１…サービス提供サーバ
１１…サービス提供手段
１２…認証処理要求手段
１３…決済処理要求手段
２…認証課金サーバ
２１…認証手段
２２…決済手段選択手段
２３…決済処理手段
２４…ユーザ情報ＤＢ
２４１…ユーザ基本情報記憶部
２４２…ユーザ利用履歴記憶部
２５…商品管理ＤＢ
３…ユーザ端末装置
４…ネットワーク
【図１】
2008112326.tif 000003
【図２】
2008112326.tif 000004
【図３】
2008112326.tif 000005
【図４】
2008112326.tif 000006
【図５】
2008112326.tif 000007
【図６】
2008112326.tif 000008
【図７】
2008112326.tif 000009
【図８】
2008112326.tif 000010